(57)【要約】      （修正有）【解決手段】ＢＩＭに基づく組み立て式せん断壁建物構造を開示し、それは、上部横方向溝形ビーム、下部横方向溝形ビーム、左垂直溝形ポスト、右垂直溝形ポスト、および複数のプレハブせん断壁板１を含む。各前記プレハブせん断壁板１の側面には、複数の接続部材、および複数のプレハブせん断壁板１の上下と左右をそれぞれ一体的に接続された複数の接続固定装置３を含み、前記接続固定装置３上に複数の接続嵌合部材が設けられ、複数の接続部材と複数の接続嵌合部材は、それに対応して接続して締めることができる。そしてＢＩＭに基づく組み立て式せん断壁建物構造の施工方法を開示する。【効果】本発明は、視覚化、高い協調効果および高い精度の利点を有する。【選択図】図２
2020109242.tif 000002
【特許請求の範囲】
【請求項１】
BIMに基づく組み立て式せん断壁建物構造であって、上部横方向溝形ビーム、下部横方向
溝形ビーム、左垂直溝形ポスト、右垂直溝形ポスト、および複数のプレハブせん断壁板（
１）を含み、前記複数のプレハブせん断壁板（１）は、組み立てられた後に前記上部横方
向溝形ビーム、前記下部横方向溝形ビーム、前記左垂直溝形ポストおよび前記右垂直溝形
ポストに取り付けられて全体的な組み立て式せん断壁建物構造を形成し、各前記プレハブ
せん断壁板（１）の側面には、複数の接続部材（２）、および前記複数のプレハブせん断
壁板（１）の上下と左右をそれぞれ一体的に接続された複数の接続固定装置（３）を含み
、前記複数の接続固定装置（３）の厚さは、前記複数のプレハブせん断壁板（１）の厚さ
と同じであり、前記接続固定装置（３）上に複数の接続嵌合部材（４）が設けられ、複数
の前記接続部材（２）と複数の前記接続嵌合部材（４）は、対応して接続して締めること
ができ、前記接続固定装置（３）上には、各前記接続嵌合部材（４）に連通する接続グリ
ッド（５）が設けられ、前記プレハブせん断壁板（１）は、コンクリート外側壁板カバー
およびコンクリート外側壁板カバー内にキャストされた内部フレーム構造を含み、前記内
部フレーム構造は、上から下に配置され、左から右に配置された複数のスチール製トラス
を含み、前記トラス上には断熱構造板が取り付けられ、複数の前記断熱構造板の厚さはい
ずれも同じであり、各前記トラス上には亜鉛メッキ層が設けられ、複数の前記接続部材（
２）は単列かつ等間隔に設けられ、隣接する２つの前記接続部材（２）の間隔は450mm〜5
50mmであり、前記接続グリッド（５）のサイズは140mm×140mmであり、コンクリート外壁
板カバーには鉄筋メッシュシートが設けられ、前記鉄筋メッシュシートには横方向鉄筋お
よび縦方向鉄筋が設けられ、前記横方向鉄筋と前記縦方向鉄筋は一体的に固定して接続さ
れ、前記横方向鉄筋は前記縦方向鉄筋の上に設けられる、ことを特徴とする、
BIMに基づく組み立て式せん断壁建物構造。
【請求項２】
前記接続部材（２）は、接続ボルトであり、前記接続嵌合部材（４）は、前記接続ボルト
に対応するボルト穴であり、各前記接続ボルトは、いずれも１つの前記ボルト穴に挿入さ
れ、かつ１つのナットで固定して接続され、各前記ボルト穴は、いずれも前記接続グリッ
ド（５）に連通し、各前記ボルト穴内にいずれも超高強度コンクリートでキャストされ、
各前記接続グリッド（５）内にいずれもC60コンクリートでキャストされる、ことを特徴
とする、
請求項１に記載のBIMに基づく組み立て式せん断壁建物構造。
【請求項３】
前記接続固定装置（３）の幅はいずれも280mm〜290mmであり、前記断熱構造板はネジによ
って前記トラスに固定される、ことを特徴とする、
請求項１〜２のいずれか１項に記載のBIMに基づく組み立て式せん断壁建物構造。
【請求項４】
前記施工方法は、以下のステップを含み、
（１）前記プレハブせん断壁板（１）をプレハブ加工して製造され、BIMに基づいて前記
組み立て式せん断壁建物構造の3次元モデルを確立し、3次元仮想空間内において設定され
た組み立て順序に従って前記組み立て式せん断壁建物構造を組み立て、該仮想組み立てプ
ロセス中の設置誤差による問題を発見し、仮想組み立て中に故障したコンポーネントの構
造を調整し、および/または組み立て順序を調整した後、仮想組み立てが再び実行され、
仮想組み立てが正常に完了した後、BIMモデルが生成され、
（２）組み立てフィールドで3Dスキャナを用いてスキャンし、3Dポイントクラウドフィー
ルドデータを生成し、3Dポイントクラウドフィールドデータを、予め生成されたBIMモデ
ルと再検討し、再検討された後のBIMモデルを得て、
（３）ステップ（２）に従って再検討された後のBIMモデルを得て、組み立てフィールド
の取り付け場所の床、天井および壁をレベリングし、標高は装飾面より35〜45mm低く、幅
は壁厚より150〜180mm大きく、
（４）設計場所に応じて上部横方向溝形ビーム、下部横方向溝形ビーム、左垂直溝形ポス
トおよび右垂直溝形ポストを取り付け、かつそれらをしっかりと固定し、前記組み立て式
せん断壁建物構造のフレーム全体を形成し、
（５）ステップ（４）が完了した後、複数のプレハブせん断壁板（１）を、左から右の順
に取り付け、前記下部横方向溝形ビームと左垂直溝形ポストとの間の夾角で第一プレハブ
せん断壁板（１）を取り付け、それを下部横方向溝形ビームと左垂直溝形ポストの溝内に
組み立て固定させ、続いてその上および右に前記第一および第二接続固定装置（３）を取
り付け、その接続嵌合部材（４）を第一プレハブせん断壁板（１）の接続部材（２）と1
つずつ接続して固定させ、その後この順に従って、第一行の複数のプレハブせん断壁板（
１）の組み立てが完了するまで、右へ第二プレハブせん断壁板（１）および第三と第四接
続固定装置（３）を取り付け、続いて、最上段の複数のプレハブせん断壁板（１）の組み
立てが完了するまで、第一行の上に、第二行、第三行を順に完了し、最終的に前記プレハ
ブせん断壁の建物構造を形成する、ことを特徴とする、
請求項１〜３のいずれか１項に記載のBIMに基づく組み立て式せん断壁建物構造の施工方
法。
【請求項５】
前記ステップ（５）の後に、さらに、前記接続嵌合部材（４）内に超高強度コンクリート
でキャストされ、かつ前記接続グリッド（５）内にC60コンクリートでキャストされ、前
記接続嵌合部材（４）を封止させる、ことを特徴とする、
請求項４に記載の施工方法。
【請求項６】
ステップ（１）における仮想組み立てはBIM  5Dソフトウェアを使用して行われる、こと
を特徴とする、
請求項４〜５のいずれ１項に記載の施工方法。
【請求項７】
任意行の前記プレハブせん断壁板（１）を組み立てるときに、現在施工中のプレハブせん
断壁板（１）の施工位置を測定してレイアウトする必要があり、続いて吊り上げ装置を用
いて、現在施工されるプレハブせん断壁板（１）を所定の位置に1つずつ持ち上げる、こ
とを特徴とする、
請求項４〜６のいずれ１項に記載の施工方法。
【発明の詳細な説明】
【技術分野】
【０００１】
本発明は、組み立て式コンクリート構造のプレハブおよび施工の技術分野に属する。
【背景技術】
【０００２】
一般的な組み立て一体式せん断壁構造には、以下の欠点があり、第一、消費されるコンク
リートの量は多いため、大量の山を開け、土地を掘って砂を採る必要があり、生態学的環
境に深刻な影響を与える。第二、使用される材料は単一であり、継手接続の信頼性が低く
、構造的完全性が低く、構造システムに複数の耐震メカニズムが欠如し、反復荷重下での
力要件を満たしにくい。第三、構造はエネルギーを消費するクラックの均一な分散を作成
することによって延性設計を達成できず、材料の無駄および不当な使用を引き起こす。
BIM（Building Information Modeling  建物情報モデリング）は、建設プロジェクトの各
関連情報データをモデルのベースとし、建物モデルを構築し、デジタル情報シミュレーシ
ョンによって建物が有する実際の情報をシミュレートする。それは、デジタル化３次元建
物モデルを核として建設工事の設計、施工などに適用される作業方法である。それは、調
整された情報で建物の全サイクルを管理し、建物に対する分析、シミュレーション、視覚
化、統計、計算などの動作を行い、それにより製造コストを低減させ、建設期間を大幅に
短縮する。
【発明の概要】
【発明が解決しようとする課題】
【０００３】
上記問題を解決するために、本発明は、BIMに基づく組み立て式せん断壁建物構造を使
用し、それは、上部横方向溝形ビーム、下部横方向溝形ビーム、左垂直溝形ポスト、右垂
直溝形ポスト、および複数のプレハブせん断壁板を含み、前記複数のプレハブせん断壁板
は、組み立てられた後に前記上部横方向溝形ビーム、下部横方向溝形ビーム、左垂直溝形
ポストおよび右垂直溝形ポストに取り付けられて全体的な組み立て式せん断壁建物構造を
形成する。各前記プレハブせん断壁板の側面には、複数の接続部材、および複数のプレハ
ブせん断壁板の上下と左右をそれぞれ一体的に接続された複数の接続固定装置を含み、前
記複数の接続固定装置の厚さは、前記複数のプレハブせん断壁板の厚さと同じであり、前
記接続固定装置上に複数の接続嵌合部材が設けられ、複数の接続部材と複数の接続嵌合部
材は、それに対応して接続して締めることができ、前記接続固定装置上には、各接続嵌合
部材に連通する接続グリッドが設けられる。前記プレハブせん断壁板は、コンクリート外
側壁板カバーおよびコンクリート外側壁板カバー内にキャストされた内部フレーム構造を
含み、前記内部フレーム構造は、上から下に配置され、左から右に配置された複数のスチ
ール製トラスを含み、前記トラス上には断熱構造板が取り付けられ、複数の前記断熱構造
板の厚さはいずれも同じであり、各前記トラス上には亜鉛メッキ層が設けられる。複数の
前記接続部材は単列かつ等間隔に設けられ、隣接する２つの前記接続部材の間隔は450mm
〜550mmであり、前記接続グリッドのサイズは140mm×140mmである。コンクリート外壁板
カバーには鉄筋メッシュシートが設けられ、前記鉄筋メッシュシートには横方向鉄筋およ
び縦方向鉄筋が設けられ、前記横方向鉄筋と縦方向鉄筋は一体的に固定して接続され、前
記横方向鉄筋は前記縦方向鉄筋の上に設けられる。
【０００４】
好ましくは、前記接続部材は、接続ボルトであり、前記接続嵌合部材は、前記接続ボル
トに対応するボルト穴である。各前記接続ボルトは、いずれも１つの前記ボルト穴に挿入
され、かつ１つのナットで固定して接続され、各前記ボルト穴は、いずれも前記接続グリ
ッドに連通する。各前記ボルト穴内にいずれも超高強度コンクリートでキャストされ、各
前記接続グリッド内にいずれもC60コンクリートでキャストされる。
【０００５】
上記いずれの解決手段において、好ましくは、前記接続固定装置の幅はいずれも280mm
〜290mmである。前記断熱構造板はネジによって前記トラスに固定される。
本発明は、上記技術的問題を解決するために使用される別の技術的解決手段は、BIMに基
づく組み立て式せん断壁建物構造の施工方法であり、前記施工方法は、以下のステップを
含む。
【０００６】
（１）前記プレハブせん断壁板をプレハブ加工して製造され、BIMに基づいて前記組み立
て式せん断壁建物構造の3次元モデルを確立し、3次元仮想空間内において設定された組み
立て順序に従って前記組み立て式せん断壁建物構造を組み立て、該仮想組み立てプロセス
中の設置誤差による問題を発見し、仮想組み立て中に故障したコンポーネントの構造を調
整し、および/または組み立て順序を調整した後、仮想組み立てが再び実行される。仮想
組み立てが正常に完了した後、BIMモデルが生成される。
【０００７】
（２）組み立てフィールドで3Dスキャナを用いてスキャンし、3Dポイントクラウドフィー
ルドデータを生成し、3Dポイントクラウドフィールドデータを、予め生成されたBIMモデ
ルと再検討し、再検討された後のBIMモデルを得る。
【０００８】
（３）ステップ（２）に従って再検討された後のBIMモデルを得て、組み立てフィールド
の取り付け場所の床、天井および壁をレベリングし、標高は装飾面より35〜45mm低く、幅
は壁厚より150〜180mm大きい。
【０００９】
（４）設計場所に応じて上部横方向溝形ビーム、下部横方向溝形ビーム、左垂直溝形ポス
トおよび右垂直溝形ポストを取り付け、かつそれらをしっかりと固定し、前記組み立て式
せん断壁建物構造のフレーム全体を形成する。
【００１０】
（５）ステップ（４）が完了した後、複数のプレハブせん断壁板を、左から右の順に取り
付け、前記下部横方向溝形ビームと左垂直溝形ポストとの間の夾角で第一プレハブせん断
壁板を取り付け、それを下部横方向溝形ビームと左垂直溝形ポストの溝内に組み立て固定
させる。続いてその上および右に前記第一および第二接続固定装置を取り付け、その接続
嵌合部材を第一プレハブせん断壁板の接続部材と1つずつ接続して固定させる。その後こ
の順に従って、第一行の複数のプレハブせん断壁板の組み立てが完了するまで、右へ第二
プレハブせん断壁板および第三と第四接続固定装置．．．を取り付ける。続いて、最上段
の複数のプレハブせん断壁板の組み立てが完了するまで、第一行の上に、第二行、第三行
．．．を順に完了し、最終的に前記プレハブせん断壁の建物構造を形成する。
【００１１】
好ましくは、前記ステップ（５）の後に、さらに、前記接続嵌合部材内に超高強度コンク
リートでキャストされ、かつ前記接続グリッド内にC60コンクリートでキャストされ、前
記接続嵌合部材を封止させる。
【００１２】
上記いずれの解決手段において、好ましくは、ステップ（１）における仮想組み立てはBI
M  5Dソフトウェアを使用して行われる。
【００１３】
上記いずれの解決手段において、好ましくは、任意行の前記プレハブせん断壁板を組み立
てるときに、現在施工中のプレハブせん断壁板の施工位置を測定してレイアウトする必要
がある。続いて吊り上げ装置を用いて、現在施工されるプレハブせん断壁板を所定の位置
に1つずつ持ち上げる。
【発明の効果】
【００１４】
本発明の有益な効果は以下のとおりである。
１、本発明のBIMに基づく組み立て式せん断壁建物構造は、ユニット化、一体化組み立て
、正確な位置決め、堅固な取り付けを実現することができ、せん断壁建物構造を正確かつ
迅速に組み立てかつ取り付けることができ、プロセスが簡単である。かつBIM技術を採用
してデジタル化協調施工し、組み立ておよび施工の正確さが保証される。
【００１５】
２、本発明のBIMに基づく組み立て式せん断壁建物構造およびその施工方法は、接合しや
すく、施工効率が高いという有益な効果を有する。
【００１６】
３、本発明のBIMに基づく組み立て式せん断壁建物構造の接続品質がよく確実であり、鉄
筋とボルトとの接続の固定接続状況をチェックしやすく、チェックしやすくて品質をより
確実になる。組み立て式せん断壁の機械的特性への影響を低減させ、施工プロセスを単純
化させ、組み立て品質を向上させ、組み立て後のせん断壁の機械的特性を向上させ、そし
てコストを低減させるという目的が達成される。
【００１７】
４、本発明のBIMに基づく組み立て式せん断壁建物構造の構造システム完全性がよく、応
力性能が高く、かつ使用効果が高く、構造が簡単であり、設計が合理的であり、施工しや
すくてコストが低く、従来の組み立て全体式せん断壁構造において、コンクリートの使用
量が大きく、コストが高く、構造完全性が低く、応力性能が低いなどの問題を効果的に解
決することができる。
【図面の簡単な説明】
【００１８】
【図１】図１は本発明のBIMに基づく組み立て式せん断壁建物構造の側面図である。
【図２】図２は本発明のBIMに基づく組み立て式せん断壁建物構造の全体分解概略図である（接続部材、接続嵌合部材および接続グリッドを省略する）。
【発明を実施するための形態】
【００１９】
以下は、図面および具体的な実施例を照射して本発明についてさらに説明するが、保護
の範囲はこれに限定されない。
【００２０】
実施例１
図１〜２を参照し、BIMに基づく組み立て式せん断壁建物構造は、上部横方向溝形ビー
ム、下部横方向溝形ビーム、左垂直溝形ポスト、右垂直溝形ポスト、および複数のプレハ
ブせん断壁板１を含み、前記複数のプレハブせん断壁板１は、組み立てられた後に前記上
部横方向溝形ビーム、下部横方向溝形ビーム、左垂直溝形ポストおよび右垂直溝形ポスト
に取り付けられて全体的な組み立て式せん断壁建物構造を形成する。各前記プレハブせん
断壁板１の側面には、複数の接続部材２、および複数のプレハブせん断壁板１の上下と左
右をそれぞれ一体的に接続された複数の接続固定装置３を含み、前記複数の接続固定装置
３の厚さは、前記複数のプレハブせん断壁板１の厚さと同じであり、前記接続固定装置３
上に複数の接続嵌合部材４が設けられ、複数の接続部材２と複数の接続嵌合部材４は、そ
れに対応して接続して締めることができ、前記接続固定装置３上には、各前記接続嵌合部
材４に連通する接続グリッド５が設けられる。前記プレハブせん断壁板１は、コンクリー
ト外側壁板カバーおよびコンクリート外側壁板カバー内にキャストされた内部フレーム構
造を含み、前記内部フレーム構造は、上から下に配置され、左から右に配置された複数の
スチール製トラスを含み、前記トラス上には断熱構造板が取り付けられ、複数の前記断熱
構造板の厚さはいずれも同じであり、各前記トラス上には亜鉛メッキ層が設けられる。複
数の前記接続部材２は単列かつ等間隔に設けられ、隣接する２つの前記接続部材２の間隔
は450mm〜550mmであり、前記接続グリッド５のサイズは140mm×140mmである。コンクリー
ト外壁板カバーには鉄筋メッシュシートが設けられ、前記鉄筋メッシュシートには横方向
鉄筋および縦方向鉄筋が設けられ、前記横方向鉄筋と縦方向鉄筋は一体的に固定して接続
され、前記横方向鉄筋は前記縦方向鉄筋の上に設けられる。
【００２１】
前記接続部材２は、接続ボルトであり、前記接続嵌合部材４は、前記接続ボルトに対応
するボルト穴である。各前記接続ボルトは、いずれも１つの前記ボルト穴に挿入され、か
つ１つのナットで固定して接続され、各前記ボルト穴は、いずれも前記接続グリッド５に
連通する。各前記ボルト穴内にいずれも超高強度コンクリートでキャストされ、各前記接
続グリッド５内にいずれもC60コンクリートでキャストされる。
【００２２】
前記接続固定装置３の幅はいずれも280mm〜290mmである。前記断熱構造板はネジによっ
て前記トラスに固定される。
【００２３】
実施例２
BIMに基づく組み立て式せん断壁建物構造の施工方法であって、前記施工方法は、以下
のステップを含む、
【００２４】
（１）前記プレハブせん断壁板１をプレハブ加工して製造され、BIMに基づいて前記組み
立て式せん断壁建物構造の3次元モデルを確立し、3次元仮想空間内において設定された組
み立て順序に従って前記組み立て式せん断壁建物構造を組み立て、該仮想組み立てプロセ
ス中の設置誤差による問題を発見し、仮想組み立て中に故障したコンポーネントの構造を
調整し、および/または組み立て順序を調整した後、仮想組み立てが再び実行される。仮
想組み立てが正常に完了した後、BIMモデルが生成される。
【００２５】
（２）組み立てフィールドで3Dスキャナを用いてスキャンし、3Dポイントクラウドフィー
ルドデータを生成し、3Dポイントクラウドフィールドデータを、予め生成されたBIMモデ
ルと再検討し、再検討された後のBIMモデルを得る。
【００２６】
（３）ステップ（２）に従って再検討された後のBIMモデルを得て、組み立てフィールド
の取り付け場所の床、天井および壁をレベリングし、標高は装飾面より35〜45mm低く、幅
は壁厚より150〜180mm大きい。
【００２７】
（４）設計場所に応じて上部横方向溝形ビーム、下部横方向溝形ビーム、左垂直溝形ポス
トおよび右垂直溝形ポストを取り付け、かつそれらをしっかりと固定し、前記組み立て式
せん断壁建物構造のフレーム全体を形成する。
【００２８】
（５）ステップ（４）が完了した後、複数のプレハブせん断壁板１を、左から右の順に取
り付け、前記下部横方向溝形ビームと左垂直溝形ポストとの間の夾角で第一プレハブせん
断壁板１を取り付け、それを下部横方向溝形ビームと左垂直溝形ポストの溝内に組み立て
固定させる。続いてその上および右に前記第一および第二接続固定装置３を取り付け、そ
の接続嵌合部材４を第一プレハブせん断壁板１の接続部材２と1つずつ接続して固定させ
る。その後この順に従って、第一行の複数のプレハブせん断壁板１の組み立てが完了する
まで、右へ第二プレハブせん断壁板１および第三と第四接続固定装置３．．．を取り付け
る。続いて、最上段の複数のプレハブせん断壁板１の組み立てが完了するまで、第一行の
上に、第二行、第三行．．．を順に完了し、最終的に前記プレハブせん断壁の建物構造を
形成する。
【００２９】
前記ステップ（５）の後に、さらに、前記接続嵌合部材４内に超高強度コンクリートでキ
ャストされ、かつ前記接続グリッド内にC60コンクリートでキャストされ、前記接続嵌合
部材４を封止させる。
【００３０】
ステップ（１）における仮想組み立てはBIM  5Dソフトウェアを使用して行われる。
任意行の前記プレハブせん断壁板１を組み立てるときに、現在施工中のプレハブせん断壁
板１の施工位置を測定してレイアウトする必要がある。続いて吊り上げ装置を用いて、現
在施工されるプレハブせん断壁板１を所定の位置に1つずつ持ち上げる。
【００３１】
実施例３
図１〜２を参照し、BIMに基づく組み立て式せん断壁建物構造は、上部横方向溝形ビー
ム、下部横方向溝形ビーム、左垂直溝形ポスト、右垂直溝形ポスト、および複数のプレハ
ブせん断壁板１を含み、前記複数のプレハブせん断壁板１は、組み立てられた後に前記上
部横方向溝形ビーム、下部横方向溝形ビーム、左垂直溝形ポストおよび右垂直溝形ポスト
に取り付けられて全体的な組み立て式せん断壁建物構造を形成する。各前記プレハブせん
断壁板１の側面には、複数の接続部材２、および複数のプレハブせん断壁板１の上下と左
右をそれぞれ一体的に接続された複数の接続固定装置３を含み、前記複数の接続固定装置
３の厚さは、前記複数のプレハブせん断壁板１の厚さと同じであり、前記接続固定装置３
上に複数の接続嵌合部材４が設けられ、複数の接続部材２と複数の接続嵌合部材４は、そ
れに対応して接続して締めることができ、前記接続固定装置３上には、各前記接続嵌合部
材４に連通する接続グリッド５が設けられる。前記プレハブせん断壁板１は、コンクリー
ト外側壁板カバーおよびコンクリート外側壁板カバー内にキャストされた内部フレーム構
造を含み、前記内部フレーム構造は、上から下に配置され、左から右に配置された複数の
スチール製トラスを含み、前記トラス上には断熱構造板が取り付けられ、複数の前記断熱
構造板の厚さはいずれも同じであり、各前記トラス上には亜鉛メッキ層が設けられる。複
数の前記接続部材２は単列かつ等間隔に設けられ、隣接する２つの前記接続部材２の間隔
は450mm〜550mmであり、前記接続グリッド５のサイズは140mm×140mmである。コンクリー
ト外壁板カバーには鉄筋メッシュシートが設けられ、前記鉄筋メッシュシートには横方向
鉄筋および縦方向鉄筋が設けられ、前記横方向鉄筋と縦方向鉄筋は一体的に固定して接続
され、前記横方向鉄筋は前記縦方向鉄筋の上に設けられる。
【００３２】
前記接続部材２は、接続ボルトであり、前記接続嵌合部材４は、前記接続ボルトに対応
するボルト穴である。各前記接続ボルトは、いずれも１つの前記ボルト穴に挿入され、か
つ１つのナットで固定して接続され、各前記ボルト穴は、いずれも前記接続グリッド５に
連通する。各前記ボルト穴内にいずれも超高強度コンクリートでキャストされ、各前記接
続グリッド５内にいずれもC60コンクリートでキャストされる。
【００３３】
前記接続固定装置３の幅はいずれも280mm〜290mmである。前記断熱構造板はネジによっ
て前記トラスに固定される。
【００３４】
前記鉄筋メッシュシートは、少なくとも１つの接続スターラップをさらに含み、前記ス
ターラップには、前記横方向鉄筋と縦方向鉄筋を相対的に平行移動または回転して接続ス
ターラップ内に入る開口が設けられる。前記接続スターラップおよび前記横方向鉄筋と縦
方向鉄筋を接続スターラップ内で平行移動させて所定の取り付け位置に位置決めさせる。
前記接続スターラップ上に事前嵌着バインド線が設けられ、前記接続スターラップの取り
付け中に前記事前嵌着バインド線を嵌着し、前記事前嵌着バインド線の両端に相対的に引
っかけることができるフックが設けられ、前記横方向鉄筋および縦方向鉄筋が平行移動し
て所定の取り付け位置に位置決めした後、前記事前嵌着バインド線は前記横方向鉄筋およ
び縦方向鉄筋に近接しかつそのフックによって接続スターラップを引っかける。このよう
に形成された鉄筋メッシュシートの構造がより堅固であり、より安定し、プレハブせん断
壁板１の構造全体強度をさらに向上することができる。
【００３５】
実施例４
BIMに基づく組み立て式せん断壁建物構造の施工方法であって、前記施工方法は、以下の
ステップを含む。
【００３６】
（１）前記プレハブせん断壁板１をプレハブ加工して製造され、BIMに基づいて前記組み
立て式せん断壁建物構造の3次元モデルを確立し、3次元仮想空間内において設定された組
み立て順序に従って前記組み立て式せん断壁建物構造を組み立て、該仮想組み立てプロセ
ス中の設置誤差による問題を発見し、仮想組み立て中に故障したコンポーネントの構造を
調整し、および/または組み立て順序を調整した後、仮想組み立てが再び実行される。仮
想組み立てが正常に完了した後、BIMモデルが生成される。
【００３７】
（２）組み立てフィールドで3Dスキャナを用いてスキャンし、3Dポイントクラウドフィー
ルドデータを生成し、3Dポイントクラウドフィールドデータを、予め生成されたBIMモデ
ルと再検討し、再検討された後のBIMモデルを得る。
【００３８】
（３）ステップ（２）に従って再検討された後のBIMモデルを得て、組み立てフィールド
の取り付け場所の床、天井および壁をレベリングし、標高は装飾面より35〜45mm低く、幅
は壁厚より150〜180mm大きい。
【００３９】
（４）設計場所に応じて上部横方向溝形ビーム、下部横方向溝形ビーム、左垂直溝形ポス
トおよび右垂直溝形ポストを取り付け、かつそれらをしっかりと固定し、前記組み立て式
せん断壁建物構造のフレーム全体を形成する。
【００４０】
（５）ステップ（４）が完了した後、複数のプレハブせん断壁板１を、左から右の順に取
り付け、前記下部横方向溝形ビームと左垂直溝形ポストとの間の夾角で第一プレハブせん
断壁板１を取り付け、それを下部横方向溝形ビームと左垂直溝形ポストの溝内に組み立て
固定させる。続いてその上および右に前記第一および第二接続固定装置３を取り付け、そ
の接続嵌合部材４を第一プレハブせん断壁板１の接続部材２と1つずつ接続して固定させ
る。その後この順に従って、第一行の複数のプレハブせん断壁板１の組み立てが完了する
まで、右へ第二プレハブせん断壁板１および第三と第四接続固定装置３．．．を取り付け
る。続いて、最上段の複数のプレハブせん断壁板１の組み立てが完了するまで、第一行の
上に、第二行、第三行．．．を順に完了し、最終的に前記プレハブせん断壁の建物構造を
形成する。
【００４１】
前記ステップ（５）の後に、さらに、前記接続嵌合部材４内に超高強度コンクリートでキ
ャストされ、かつ前記接続グリッド内にC60コンクリートでキャストされ、前記接続嵌合
部材４を封止させる。
【００４２】
ステップ（１）における仮想組み立てはBIM  5Dソフトウェアを使用して行われる。
任意行の前記プレハブせん断壁板１を組み立てるときに、現在施工中のプレハブせん断壁
板１の施工位置を測定してレイアウトする必要がある。続いて吊り上げ装置を用いて、現
在施工されるプレハブせん断壁板１を所定の位置に1つずつ持ち上げる。
【００４３】
具体的には、ステップ（1）におけるBIM技術は、組み立て式せん断壁の建物構造の設計
図、設計パラメータおよびプロジェクト組み立て式構築現場選択の関連地理情報データを
取得するために、複数のプレハブせん断壁板１に番号を付け、同時に各部分の構造データ
閾値を中央制御プラットフォーム内のデータ決定部に予め入力し、かつ中央制御プラット
フォーム内の合計ユニットにNの値を予め設定する。組み立て式せん断壁の建物構造に対
してBIMユニットをモデリングし、かつ確立した各部分のBIMユニットモデルを全体モデル
に組み立てる。ソフトウェアシミュレーションにより、モデル全体内の各番号に対応する
部分の構造をそれぞれシミュレートし、各番号に対応する部分の構造シミュレーションデ
ータを取得し、かつそれらを中央制御プラットフォームに送信する。中央制御プラットフ
ォーム内の情報受信部は、各構造シミュレーションデータを受信し、かつそれらの番号に
応じて順にデータ決定部に送信し、データ決定部は、それと事前に入力された構造データ
閾値を番号に応じて順に決定し、１つの構造シミュレーションデータが構造データ閾値を
超えた場合、データ決定部内のカウンターデータが＋１になり、かつカウントを合計ユニ
ットに送信する。合計結果が予め設定されたNの値に達しているとき、合計ユニットはデ
ータを外部表示ユニットに送信し、同時に光音響警報装置によってスタッフに提示を発す
る。合計結果が予め設定された数値Nに達していないとき、合計ユニットはデータのみを
外部表示ユニットに送信する。設計した後の組み立て式建物の各データをチェックかつ記
録し、かつ構造データ閾値、構造シミュレーションデータと比較、分析、再検討した後、
外部表示ユニットによって集中表示を行い、データアーカイブによって後続の設計作業に
基礎および参照を提供する。
【００４４】
上記実施例から分かるように、本発明のBIMに基づく組み立て式せん断壁建物構造は、
ユニット化、一体化組み立て、正確な位置決め、堅固な取り付けを実現することができ、
せん断壁建物構造を正確かつ迅速に組み立てかつ取り付けることができ、プロセスが簡単
である。かつBIM技術を採用してデジタル化協調施工し、組み立ておよび施工の正確さが
保証される。
【図１】
2020109242.tif 000003
【図２】
2020109242.tif 000004
【手続補正書】
【提出日】平成31年4月28日(2019.4.28)
【手続補正１】
【補正対象書類名】特許請求の範囲
【補正対象項目名】全文
【補正方法】変更
【補正の内容】
【特許請求の範囲】
【請求項１】
組み立て式せん断壁建物構造であって、上部横方向溝形ビーム、下部横方向溝形ビーム、
左垂直溝形ポスト、右垂直溝形ポスト、および複数のプレハブせん断壁板（１）を含み、
前記複数のプレハブせん断壁板（１）は、組み立てられた後に前記上部横方向溝形ビーム
、前記下部横方向溝形ビーム、前記左垂直溝形ポストおよび前記右垂直溝形ポストに取り
付けられて全体的な組み立て式せん断壁建物構造を形成し、各前記プレハブせん断壁板（
１）の側面には、複数の接続部材（２）、および前記複数のプレハブせん断壁板（１）の
上下と左右をそれぞれ一体的に接続された複数の接続固定装置（３）を含み、前記複数の
接続固定装置（３）の厚さは、前記複数のプレハブせん断壁板（１）の厚さと同じであり
、前記接続固定装置（３）上に複数の接続嵌合部材（４）が設けられ、複数の前記接続部
材（２）と複数の前記接続嵌合部材（４）は、対応して接続して締めることができ、前記
接続固定装置（３）上には、各前記接続嵌合部材（４）に連通する接続グリッド（５）が
設けられ、前記プレハブせん断壁板（１）は、コンクリート外側壁板カバーおよびコンク
リート外側壁板カバー内にキャストされた内部フレーム構造を含み、前記内部フレーム構
造は、上から下に配置され、左から右に配置された複数のスチール製トラスを含み、前記
トラス上には断熱構造板が取り付けられ、複数の前記断熱構造板の厚さはいずれも同じで
あり、各前記トラス上には亜鉛メッキ層が設けられ、複数の前記接続部材（２）は単列か
つ等間隔に設けられ、隣接する２つの前記接続部材（２）の間隔は450mm〜550mmであり、
前記接続グリッド（５）のサイズは140mm×140mmであり、コンクリート外壁板カバーには
鉄筋メッシュシートが設けられ、前記鉄筋メッシュシートには横方向鉄筋および縦方向鉄
筋が設けられ、前記横方向鉄筋と前記縦方向鉄筋は一体的に固定して接続され、前記横方
向鉄筋は前記縦方向鉄筋の上に設けられ、
前記接続部材（２）は、接続ボルトであり、前記接続嵌合部材（４）は、前記接続ボルト
に対応するボルト穴であり、各前記接続ボルトは、いずれも１つの前記ボルト穴に挿入さ
れ、かつ１つのナットで固定して接続され、各前記ボルト穴は、いずれも前記接続グリッ
ド（５）に連通し、各前記ボルト穴内にいずれも超高強度コンクリートでキャストされ、
各前記接続グリッド（５）内にいずれもC60コンクリートでキャストされ、
前記接続固定装置（３）の幅はいずれも280mm〜290mmであり、前記断熱構造板はネジによ
って前記トラスに固定され、
前記鉄筋メッシュシートは、少なくとも１つの接続スターラップをさらに含み、前記スタ
ーラップには、前記横方向鉄筋と縦方向鉄筋を相対的に平行移動または回転して接続スタ
ーラップ内に入る開口が設けられ、前記接続スターラップおよび前記横方向鉄筋と縦方向
鉄筋を接続スターラップ内で平行移動させて所定の取り付け位置に位置決めさせ、前記接
続スターラップ上に事前嵌着バインド線が設けられ、前記接続スターラップの取り付け中
に前記事前嵌着バインド線を嵌着し、前記事前嵌着バインド線の両端に相対的に引っかけ
ることができるフックが設けられ、前記横方向鉄筋および縦方向鉄筋が平行移動して所定
の取り付け位置に位置決めした後、前記事前嵌着バインド線は前記横方向鉄筋および縦方
向鉄筋に近接しかつそのフックによって前記接続スターラップを引っかける、
ことを特徴とする、組み立て式せん断壁建物構造。